【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
画像形成装置に装着されるカートリッジを収納する構造体であって、第一の方向に沿って延びる面と、前記第一の方向と交差する方向に沿って延びる端面と、を含む構造体と、
前記構造体を包む環状体であって、第１表示部を有する熱収縮性の第１シートと、弾性を有する第２シートと、を含み、前記構造体が前記第１シートと前記第２シートに締め付けられるように、前記第１シートが前記第２シートに引っ張られる環状体と、
を有し、
前記第１表示部が前記面上に配置され、前記第１シートおよび前記第２シートの自由端は、前記端面の少なくとも一部を覆うように収縮していることを特徴とする包装体。
【請求項２】
前記第２シートは、熱収縮性を有することを特徴とする請求項１に記載の包装体。
【請求項３】
前記構造体は、外表面に第２表示部を有し、
前記環状体は、一部に透明部を備え、前記透明部から前記構造体の前記第２表示部が視認可能とであることを特徴とする請求項１または２に記載の包装体。
【請求項４】
前記環状体によって複数の前記構造体が一体的に包まれることを特徴とする請求項１ないし３のいずれか１項に記載の包装体。
【請求項５】
画像形成装置に装着されるカートリッジを収納する構造体を、環状体で包装する包装方法であって、前記構造体は第一の方向に沿って延びる面と、前記第一の方向と交差する方向に沿って延びる端面と、を含み、前記環状体は第１表示部を有する熱収縮性の第１シートと、弾性を有する第２シートと、を含み、前記包装方法は、
前記第１シートと前記第２シートを接合する第１工程と、
前記第１表示部が前記面上に位置するように前記第１シートを配置し、前記第２シートに張力を作用させた状態で、前記第１シートと前記第２シートを接合し、前記環状体を形成する第２工程と、
前記第１シートおよび前記第２シートの自由端を、前記端面の少なくとも一部を覆うように収縮させる第３工程と、
を有することを特徴とする包装方法。
【請求項６】
さらに前記構造体の外表面に第２表示部を形成する第４工程を有し、
前記第１シートとして一部に透明部を備えたものを用い、前記第１工程において、前記透明部から前記構造体の前記第２表示部が視認可能となるように前記第１シートを配置することを特徴とする請求項５に記載の包装方法。
【請求項７】
前記第２シートは、熱収縮性を有する
ことを特徴とする請求項５または６に記載の包装方法。
【請求項８】
前記環状体によって複数の前記構造体が一体的に包まれることを特徴とする請求項５ないし７のいずれか１項に記載の包装方法。
【請求項９】
画像形成装置に装着されるカートリッジを収納する構造体を、環状体で包む包装方法であって、前記構造体は、第一の方向に沿って延びる面と、前記第一の方向に交差する方向に沿って延びる端面と、を有し、前記環状体は第１表示部を備え、少なくとも一部に熱収縮性を有し、前記包装方法は、
前記面上に前記第１表示部を位置させるようにして前記環状体の内部に前記構造体を配置する第１工程と、
鉛直方向の下方に位置する前記構造体の底部と接触する部分から前記第一の方向へ延びる前記環状体の部分を、鉛直方向の上方側へ支持しつつ、前記環状体が前記端面の少なくとも一部を覆うように、加熱手段によって前記環状体を収縮させる第２工程と、
を有していることを特徴とする包装方法。
【請求項１０】
前記第２の工程において、前記第１表示部に熱が伝わることを抑制する収縮防止機構が配置される
ことを特徴とする請求項９に記載の包装方法。
【請求項１１】
前記第２の工程において、前記第一の方向と交差する方向において、前記構造体、前記環状体、前記収縮防止機構、が順に配置されている
ことを特徴とする請求項１０に記載の包装方法。
【請求項１２】
前記環状体に対し前記収縮防止機構が間隔を持って配置されている
ことを特徴とする請求項１１に記載の包装方法。
【請求項１３】
前記環状体は、前記第１表示部を有する熱収縮性の第１シートと、弾性を有する第２シートと、からなることを特徴とする請求項９ないし１２のいずれか１項に記載の包装方法。
【請求項１４】
さらに前記構造体の外表面に第２表示部を形成する第３工程を有し、
前記第１シートとして一部に透明部を備えたものを用い、前記第１工程において、前記透明部から前記第２表示部が視認可能となるように前記第１シートを配置することを特徴とする請求項１３に記載の包装方法。
【請求項１５】
前記第２シートは、熱収縮性を有し、
前記第２工程において、前記第１シートおよび前記第２シートの自由端を、前記端面の少なくとも一部を覆うように熱収縮させる
ことを特徴とする請求項１３または１４に記載の包装方法。
【請求項１６】
前記前記環状体によって複数の前記構造体が一体的に包まれることを特徴とする請求項９ないし１５のいずれか１項に記載の包装方法。
【手続補正２】
【補正対象書類名】明細書
【補正対象項目名】０００８
【補正方法】変更
【補正の内容】
【０００８】
本発明に係る包装体は、以下のようなものである。
画像形成装置に装着されるカートリッジを収納する構造体であって、第一の方向に沿って延びる面と、前記第一の方向と交差する方向に沿って延びる端面と、を含む構造体と、
第１表示部を有する熱収縮性の第１シートと、弾性を有する第２シートと、を含む環状体であって、前記構造体が前記第１シートと前記第２シートに締め付けられるように、前記第１シートが前記第２シートに引っ張られる環状体と、
を有し、
前記第１表示部が前記面上に配置され、前記第１シートおよび前記第２シートの自由端は、前記端面の少なくとも一部を覆うように収縮していることを特徴とする包装体。
【手続補正３】
【補正対象書類名】明細書
【補正対象項目名】０００９
【補正方法】変更
【補正の内容】
【０００９】
本発明に係る包装方法は、以下のようなものである。
画像形成装置に装着されるカートリッジを収納する構造体を、環状体で包装する包装方法であって、前記構造体は第一の方向に沿って延びる面と、前記第一の方向と交差する方向に沿って延びる端面と、を含み、前記環状体は第１表示部を有する熱収縮性の第１シートと、弾性を有する第２シートと、を含み、前記包装方法は、
前記第１シートと前記第２シートを接合する第１工程と、
前記第１表示部が前記面上に位置するように前記第１シートを配置し、前記第２シートに張力を作用させた状態で、前記第１シートと前記第２シートを接合し、前記環状体を形成する第２工程と、
前記第１シートおよび前記第２シートの自由端を、前記端面の少なくとも一部を覆うように収縮させる第３工程と、
を有することを特徴とする包装方法。
【手続補正４】
【補正対象書類名】明細書
【補正対象項目名】００１０
【補正方法】変更
【補正の内容】
【００１０】
本発明に係る包装方法は、以下のようなものである。
画像形成装置に装着されるカートリッジを収納する構造体を、環状体で包装する包装方法であって、前記構造体は、第一の方向に沿って延びる面と、前記第一の方向に交差する方向に沿って延びる端面と、を有し、前記環状体は第１表示部を備え、少なくとも一部に熱収縮性を有し、前記包装方法は、
前記面上に前記第１表示部を位置させるようにして前記環状体の内部に前記構造体を配置する第１工程と、
鉛直方向の下方に位置する前記構造体の底部と接触する部分から前記第一の方向へ延びる前記環状体の部分を、鉛直方向の上方側へ支持しつつ、前記環状体が前記端面の少なくとも一部を覆うように、加熱手段によって前記環状体を収縮させる第２工程と、
を有していることを特徴とする包装方法。